(57)【要約】【課題】  各々のスクリーン間に発生する目地状の隙間を最小限に抑えた背面投射型プロジェクタ等を提供する。【解決手段】  反射防止処理加工を施した拡散層２と、拡散層２より小型に形成され、拡散層２に重ね合わせた際に拡散層２の縁部に段差が形成される透明層３と、透明層３と拡散層２とを段差部分を介して接着する透明接着手段４と、透明層３と略々同形に形成され、透明層３に重ね合わせられるフレネルレンズ５と、透明層３とフレネルレンズ５とを互いの側面同士を介して接着する第２の透明接着手段６と、接着された拡散層２、透明層３及びフレネルレンズ５を、透明層３とフレネルレンズ５の側面を介して支持する遮光板７と、遮光板７に結合される筐体８、１０とを備える背面投射型スクリーン組立体１４を上下、左右又は上下左右に複数配列し、筐体８、１０の各々の内部に光源１１を配置した。【選択図】  図５
2006145797.tif 000002
【特許請求の範囲】
【請求項１】
反射防止処理加工を施した拡散層と、
該拡散層より小型に形成され、該拡散層に重ね合わせた際に該拡散層の縁部に段差が形成される透明層と、
該透明層と前記拡散層とを前記段差部分を介して接着する透明接着手段と、
前記透明層と略々同形に形成され、前記透明層に重ね合わせられるフレネルレンズと、
前記透明層と前記フレネルレンズとを互いの側面同士を介して接着する第２の透明接着手段と、
接着された前記拡散層、前記透明層及び前記フレネルレンズを、前記透明層と前記フレネルレンズの側面を介して支持する遮光板と、
該遮光板に結合される筐体とを備えることを特徴とする背面投射型スクリーン組立体。
【請求項２】
請求項１に記載の背面投射型スクリーン組立体を上下、左右又は上下左右に複数配列したことを特徴とする背面投射型スクリーン。
【請求項３】
請求項２に記載の背面投射型スクリーンの前記筐体の各々の内部に光源を備えることを特徴とする背面投射型プロジェクタ。
【発明の詳細な説明】
【技術分野】
【０００１】
本発明は、背面投射型プロジェクタに関し、特に、投影された映像を映し出す背面投射型のスクリーンを上下左右に複数配置したマルチビジョン型の背面投写型プロジェクターに関する。
【背景技術】
【０００２】
従来のマルチビジョン型の背面投写型プロジェクタとして、例えば、特許文献１には、図６に示すように、映像の一体感を維持し、良好な画像品質を達成するため、投影機４３と、大型スクリーンを構成する複数のスクリーン部材４２の各々の側面に貼り付けられ、同じスクリーン部材４２を構成するレンチキュラーシート４５と、フレネルレンズ４６と、補強板４７とを連結する粘着テープ４４等を備えた背面投写型プロジェクタ４１が開示されている。
【０００３】
【特許文献１】特開２０００−１６２７０９号公報
【発明の開示】
【発明が解決しようとする課題】
【０００４】
しかし、上記従来の背面投写型プロジェクター４１においては、スクリーン部材４２の縁部に粘着テープ４４が存在するため、上下左右にスクリーン組立体を複数配置した際に、各々のスクリーン間に投影される映像に隙間が生じるという問題があった。
【０００５】
そこで、本発明は、上記従来の背面投射型プロジェクタ等における問題点に鑑みてなされたものであって、各々のスクリーン間に発生する目地状の隙間を限りなくゼロに近づけることを可能にした背面投射型プロジェクタを提供することを目的とする。
【課題を解決するための手段】
【０００６】
上記目的を達成するため、本発明は、背面投射型スクリーン組立体であって、反射防止処理加工を施した拡散層と、該拡散層より小型に形成され、該拡散層に重ね合わせた際に該拡散層の縁部に段差が形成される透明層と、該透明層と前記拡散層とを前記段差部分を介して接着する透明接着手段と、前記透明層と略々同形に形成され、前記透明層に重ね合わせられるフレネルレンズと、前記透明層と前記フレネルレンズとを互いの側面同士を介して接着する第２の透明接着手段と、接着された前記拡散層、前記透明層及び前記フレネルレンズを、前記透明層と前記フレネルレンズの側面を介して支持する遮光板と、該遮光板に結合される筐体とを備えることを特徴とする。
【０００７】
そして、本発明によれば、段差部分を介して透明層と拡散層とを透明接着手段で接着し、透明層とフレネルレンズの側面同士を第２の透明接着手段を介して接着し、透明層とフレネルレンズを両者の側面を介して遮光板で支持するため、光源から投影された映像光は、フレネルレンズで屈折し、透明層と拡散層からなるスクリーンに対して垂直に近い光に変えられ、拡散層にて結像される際に、拡散層の縁部にまで映像光が到達するため、映像を拡散層の表面いっぱいに映し出すことができる。
【０００８】
また、本発明は、背面投射型スクリーンであって、前記背面投射型スクリーン組立体を上下、左右又は上下左右に複数配列したことを特徴とする。この背面投射型スクリーンによれば、光源から投影された映像光は、フレネルレンズで屈折し、透明層と拡散層からなるスクリーンに対して垂直に近い光に変えられ、拡散層にて結像される。そのため、各々のスクリーンの拡散層の縁部にまで映像光が到達し、各々のスクリーンの間に発生する目地の幅を限りなくゼロに近づけることができる。
【０００９】
さらに、本発明は、背面投射型プロジェクタであって、前記背面投射型スクリーンの前記筐体の各々の内部に光源を備えることを特徴とする。これによって、上述のように、各々のスクリーンの間の目地の幅を最小限に抑えることが可能な背面投射型プロジェクタを提供することができる。
【発明の効果】
【００１０】
以上のように、本発明によれば、各々のスクリーン間に発生する目地状の隙間を限りなくゼロに近づけることを可能にした背面投射型プロジェクタ等を提供することができる。
【発明を実施するための最良の形態】
【００１１】
図１は、本発明にかかる背面投射型プロジェクタに用いられるスクリーンを示し、このスクリーン１は、拡散層２と、透明層３とで構成される。
【００１２】
拡散層２は、矩形板状に形成され、映像面に配置される。この拡散層２には、反射防止処理加工が施され、外光や像のスクリーンへの映り込みを軽減している。
【００１３】
透明層３は、拡散層２と同様、矩形板状に形成されるが、拡散層２よりわずかに小型に形成され、図２（ｂ）に明示されるように、拡散層２に重ね合わせた際に、拡散層２の縁部に、数ｍｍ程度の段差が形成されるような寸法となっている。
【００１４】
複数の拡散層２と透明層３とを接合する場合には、図３に示すように、透明接着テープ（透明接着手段）４を段差部に貼り付け、両者を一体化する。
【００１５】
次に、本発明にかかる背面投射型スクリーン組立体の構造及び組立方法について、図４を中心に参照しながら説明する。
【００１６】
図１及び図２に示したように、スクリーン１の透明層３の縁部に段差加工部を設け、図４に示すように、この透明層３と同一サイズのフレネルレンズ５を透明層３の光源側に配置する。尚、フレネルレンズ５は、斜めに入射した光を屈折させ、直進光に変えるように機能する。
【００１７】
次に、透明層３の段差加工部、及びフレネルレンズ５の縁部に透明接着テープ（第２の透明接着手段）６を貼り付け、さらに、Ｚ字型に折り曲げた金属等からなる遮光板７を貼り付ける。これら拡散層２、透明層３、フレネルレンズ５、透明接着テープ６、遮光板７を一体化したものをスクリーン枠８に取り付けることにより、背面投射型スクリーン組立体（以下、「スクリーン組立体」という）９が完成する。
【００１８】
そして、キューブフレーム１０の内部に光源１１を配置し、スクリーン組立体９とキューブフレーム１０をボルト１２で結合して筐体状とすることで、単面プロジェクタキューブ１４が完成する。
【００１９】
この単面プロジェクタキューブ１４によれば、光源１１から投影された映像光Ｌは、フレネルレンズ５で屈折してスクリーン１に対して垂直に近い光に変えられ、拡散層２にて結像する。この際、図４（ｂ）に明示されるように、スクリーン１の拡散層２の縁部にまで映像光Ｌが到達するため、映像は画面いっぱいに映し出される。
【００２０】
図５は、図４に示した背面投射型スクリーン組立体を３つ組み合わせて背面投射型プロジェクタ２１を構成した場合を示す。
【００２１】
この背面投射型プロジェクタ２１は、各々３枚の拡散層２及び透明層３を、図３に示したように、透明接着テープ４を段差部に貼り付けて一体化し、各々の透明層３とフレネルレンズ５とを互いの側面同士を介して透明接着テープ６によって接着し、これら拡散層２〜透明接着テープ６を遮光板７によって支持している。そして、図４に示した単面プロジェクタキューブ１４と同様に、各々のキューブフレーム１０の内部に光源１１を配置し、スクリーン組立体９とキューブフレーム１０をボルト１２で結合して筐体状とすることで背面投射型プロジェクタ２１が完成する。
【００２２】
この背面投射型プロジェクタ２１によれば、図４（ｂ）に示した場合と同様に、光源２２から投影された映像光Ｌは、フレネルレンズ５で屈折してスクリーン１に対して垂直に近い光に変えられ、拡散層２にて結像される。そのため、図５（ｂ）に明示されるように、スクリーン１の拡散層２の縁部にまで映像光Ｌが到達し、各々のスクリーン１の間に発生する目地２３の幅を限りなくゼロに近づけることができる。
【図面の簡単な説明】
【００２３】
【図１】本発明にかかる背面投射型プロジェクタのスクリーンを示す図であって、（ａ）は上面図（映像面を示す図）、（ｂ）は正面図、（ｃ）は側面図、（ｄ）は底面図（光源側を示す図）である。
【図２】図１のスクリーンを示す図であって、（ａ）は正面図、（ｂ）は（ａ）の縁部拡大図である。
【図３】図２のスクリーンを複数配列した場合の隣接するスクリーンの連結部を示す図である。
【図４】本発明にかかる単面プロジェクタキューブを示す図であって、（ａ）は全体断面図、（ｂ）は（ａ）の一部拡大図である。
【図５】本発明にかかる単面プロジェクタキューブを複数配列して背面投射型プロジェクタを構成した状態を示す図であって、（ａ）は全体断面図、（ｂ）は（ａ）の一部拡大図である。
【図６】従来の背面投射型プロジェクタの一例を示す全体断面図である。
【符号の説明】
【００２４】
１      スクリーン
２      拡散層
３      透明層
４      透明接着テープ
５      フレネルレンズ
６      透明接着テープ
７      遮光板
８      スクリーン枠
９      スクリーン組立体
１０    キューブフレーム
１１    光源
１２    ボルト
１４    単面プロジェクタキューブ
２１    背面投射型プロジェクタ
２３    目地
【図１】
2006145797.tif 000003
【図２】
2006145797.tif 000004
【図３】
2006145797.tif 000005
【図４】
2006145797.tif 000006
【図５】
2006145797.tif 000007
【図６】
2006145797.tif 000008